(57)【要約】【課題】コンデンサ、キャパシタまたは電池等の圧力容器における外装ケース２を構成するラミネート３に対して圧力開放弁１１を容易にかつ強固に取り付けることができる圧力開放弁１１の取付構造を提供する。【解決手段】外装ケース２がラミネート３よりなるラミネートタイプのコンデンサ、キャパシタまたは電池等の圧力容器に設けられ、容器内圧が所定値に達したときに開弁して内圧を開放する圧力開放弁１１であって、ラミネート３に設けた開口部６に挿入される弁ハウジング１２を有し、弁ハウジング１２はラミネート３の開口周縁部７の内側に配置されるフランジ状の取付部１６を有し、フランジ状の取付部１６と固定用バネ板部材２４の間にラミネート３の開口周縁部７を挟み込むことによってラミネート３に固定される。また取付部１６とラミネート３の開口周縁部７間にガスケット２５が介装される。【選択図】図２
2006294669.tif 000002
【特許請求の範囲】
【請求項１】
外装ケース（２）がラミネート（３）よりなるラミネートタイプのコンデンサ、キャパシタまたは電池等の圧力容器（１）に設けられ、前記圧力容器（１）の内圧が所定値に達したときに開弁して前記内圧を開放する圧力開放弁（１１）であって、
前記ラミネート（３）に設けた開口部（６）に挿入される弁ハウジング（１２）を有し、
前記弁ハウジング（１２）は、前記ラミネート（３）の開口周縁部（７）の内側に配置されるフランジ状の取付部（１６）を有し、前記フランジ状の取付部（１６）と前記ラミネート（３）の開口周縁部（７）の外側に配置される固定用バネ板部材（２４）との間に前記ラミネート（３）の開口周縁部（７）を挟み込むことによって前記ラミネート（３）に固定され、
前記フランジ状の取付部（１６）と前記ラミネート（３）の開口周縁部（７）との間に、前記弁ハウジング（１２）およびラミネート（３）間をシールするガスケット（２５）を介装したことを特徴する圧力開放弁。
【請求項２】
外装ケース（２）がラミネート（３）よりなるラミネートタイプのコンデンサ、キャパシタまたは電池等の圧力容器（１）に設けられ、前記圧力容器（１）の内圧が所定値に達したときに開弁して前記内圧を開放する圧力開放弁（１１）であって、
前記ラミネート（３）に設けた開口部（６）に挿入される弁ハウジング（１２）を有し、
前記弁ハウジング（１２）は、前記ラミネート（３）の開口周縁部（７）の内側に配置されるフランジ状の取付部（１６）を有し、前記フランジ状の取付部（１６）を前記ラミネート（３）の開口周縁部（７）に溶着することによって前記ラミネート（３）に固定されることを特徴とする圧力開放弁。
【発明の詳細な説明】
【技術分野】
【０００１】
本発明は、ラミネートタイプのコンデンサ、キャパシタまたは電池等の圧力容器に設けられ、前記圧力容器の内圧が所定値に達したときに開弁して前記内圧を開放する圧力開放弁に関するものである。本発明の圧力開放弁は、家電分野や自動車分野等において用いられる。
【背景技術】
【０００２】
本願出願人は先に、図１０および図１１に示す圧力開放弁を提案しており、この圧力開放弁は、コンデンサ等の圧力容器（図示せず）の開口部に封着される封口板５１に開設された圧力開放口５２と、この圧力開放口５２内に同心的に設けられ前記封口板５１に固定された軸部５３と、前記圧力開放口５２内に密嵌固定された弁本体５４とからなり、弁本体５４は、前記圧力容器の外側（図１０では上方）を向くとともに前記軸部５３の外周面に所定の緊迫力で密接されたシールリップ５５を有する構造を備えており、すなわちこの先願発明は、封入液の蒸発や外部からの異物等の浸入を防止するとともに、内圧上昇時に確実に圧力開放する機能を有する圧力開放弁について言及している（特許文献１参照）。
【０００３】
ところで、近年、これらの圧力容器、特にキャパシタや二次電池については、その収容空間を有効利用する省スペースの観点から、ラミネートタイプの製品が開発されている。ここにラミネートタイプとは、アルミニウム等の金属箔とプラスチックフィルムとを重ね合せることによって形成したラミネートフィルムを外装ケースとして使用するものをいう。
【０００４】
しかしながら、このラミネートタイプには、その省スペース化は実現できるものの、ラミネートが軟質材であることから、ケース内部で発生するガスを適切にケース外部に放出しないと、ケースが膨れ上がるという不都合がある。ケース内部で発生するガスを外部に放出するには、ケースの一部にフィルタ等を用いれば良いが、通常のフィルタでは外部から水蒸気が浸入してしまうので、使用することができない。また、上記したようにラミネートは軟質材であることから、このラミネートに圧力開放弁を取り付けるのはなかなか困難である。
【０００５】
また、ラミネートタイプのコンデンサ等に圧力開放機構を設けたものとして以下の従来技術が提案されているが、それぞれ併記する欠点を有している。
【０００６】
１）溶接部の破断による内圧開放構造
（ａ）特開２００１−２８３９２８
構成）密閉形電池用パッケージの融着代に、特定領域がリチウム塩化合物を含有する融着性樹脂により融着された防爆部を備え、このリチウム塩化合物を含有する融着性樹脂が融着した融着代が、密閉形電池用パッケージの内圧が所定値以上に達したときに剥離可能とすることで、内圧開放機能を担っている。
欠点）しかしながら、このような内圧開放構造では、異常時のガスの開放は可能であるが、使用時の電解液分解等による内圧（低圧）上昇時のガス開放ができず、パッケージが膨張してしまう。また、一度開放してしまうと、以前の密封性を保持できない。また、ガス開放圧力の設定が難しい、等の問題がある。
【０００７】
（ｂ）特開２００４−１０３３６９
構成）周囲に溶接代を形成した本体ケースに極板群を収納し、溶接代上に蓋板を被せて溶接代で溶接するとき、溶接線上に部分的に溶接強度を低下させて易破断部を形成し、内圧が異常上昇したとき易破断部の溶接を破断させて内圧を外部放出する。
欠点）しかしながら、このような内圧開放構造では、異常時のガスの開放は可能であるが、使用時の電解液分解等による内圧（低圧）上昇時のガス開放ができず、パッケージが膨張してしまう。また、一度開放してしまうと、以前の密封性を保持できない。また、ガス開放圧力の設定が難しい、等の問題がある。
【０００８】
２）一方向弁をフィルムに溶着
（ｃ）特開２００３−０３７０２８
構成）外装ケースの内側にガス放出弁が取り付けられ、更にこの外装ケースには、ガス放出弁から外部へガスを放出させるためのピンホールが形成されている。更にガス放出弁は、内部発生ガスを透過する選択性ガス透過材料で覆うように構成している。
効果）このため、外装ケース内部で発生したガスは、ガス放出弁を介してピンホールから外部へと放出され、これによって外装ケース内部で発生したガス（例えば、一酸化炭素や二酸化炭素）を外部に放出する一方で、外部から浸入する酸素や水分等は阻止することが可能となる。またこの選択性ガス透過材料を設けたことによって、外装ケース内に存在する電解液が、ガス放出時に共に外部に漏出するのを防ぐこともできる。この結果、上記外装ケースの膨れによって密閉が損なわれるのを防止すると共に、長期における電気特性の安定性を向上することができる。
欠点）液体の粘性を利用したシール機構は、外部温度による粘性変化の影響を受けやすく、開放圧力の設定が難しい。通気孔の径が小さいため、異常時のガス放出が不可能である。
【０００９】
３）一方向弁をケースに溶着
（ｄ）特開２００４−０７１７２５
構成）アルミラミネートフィルムで包装された電気化学素子に放圧弁を設けた構造において、前記放圧弁として、樹脂で構成された台座と、該台座に取り付ける放圧ゴムとの組み合わせを用いることを特徴とする。
効果）この構造により、放圧弁は、アルミラミネートフィルムと溶着させる台座とこの台座に取り付けられる放圧ゴムとの組み合わせであるため、アルミラミネートフィルムと溶着させる場合は台座だけを加熱接着させるだけで後から放圧ゴムを取り付ければよいので、構成がシンプルであり、取付ミスが少ない。
欠点）弁シール原理が、一体成形されたゴム先端部に形成されたスリット部であるため、プリロードを大きく設定するのが難しく、高い開弁圧の弁は作れない。
【００１０】
【特許文献１】ＰＣＴ  ＷＯ０３／０４４３９７  Ａ１公報
【特許文献２】特開２００１−２８３９２８公報
【特許文献３】特開２００４−１０３３６９公報
【特許文献４】特開２００３−０３７０２８公報
【特許文献５】特開２００４−０７１７２５公報
【発明の開示】
【発明が解決しようとする課題】
【００１１】
本発明は以上の点に鑑みて、コンデンサ、キャパシタまたは電池等の圧力容器における外装ケースを構成するラミネートに対して圧力開放弁を容易に取り付けることができ、しかもラミネートに対して圧力開放弁を強固に取り付けることができる圧力開放弁の取付構造を提供することを目的とする。
【課題を解決するための手段】
【００１２】
上記目的を達成するため、本発明の請求項１による圧力開放弁は、外装ケースがラミネートよりなるラミネートタイプのコンデンサ、キャパシタまたは電池等の圧力容器に設けられ、前記圧力容器の内圧が所定値に達したときに開弁して前記内圧を開放する圧力開放弁であって、前記ラミネートに設けた開口部に挿入される弁ハウジングを有し、前記弁ハウジングは、前記ラミネートの開口周縁部の内側に配置されるフランジ状の取付部を有し、前記フランジ状の取付部と前記ラミネートの開口周縁部の外側に配置される固定用バネ板部材との間に前記ラミネートの開口周縁部を挟み込むことによって前記ラミネートに固定され、前記フランジ状の取付部と前記ラミネートの開口周縁部との間に、前記弁ハウジングおよびラミネート間をシールするガスケットを介装したことを特徴するものである。
【００１３】
また、本発明の請求項２による圧力開放弁は、外装ケースがラミネートよりなるラミネートタイプのコンデンサ、キャパシタまたは電池等の圧力容器に設けられ、前記圧力容器の内圧が所定値に達したときに開弁して前記内圧を開放する圧力開放弁であって、前記ラミネートに設けた開口部に挿入される弁ハウジングを有し、前記弁ハウジングは、前記ラミネートの開口周縁部の内側に配置されるフランジ状の取付部を有し、前記フランジ状の取付部を前記ラミネートの開口周縁部に溶着することによって前記ラミネートに固定されることを特徴とするものである。
【発明の効果】
【００１４】
本発明は、以下の効果を奏する。
【００１５】
すなわち、上記構成を備えた本発明の請求項１による圧力開放弁においては、圧力容器のラミネートに開口部を設け、この開口部に弁ハウジングを挿入する。弁ハウジングは、その外周にフランジ状の取付部を有し、このフランジ状の取付部をラミネートの開口周縁部の内側に配置する。また、ラミネートの開口周縁部の外側には、固定用バネ板部材を配置する。そして、フランジ状の取付部と固定用バネ板部材との間にラミネートの開口周縁部を挟み込むことによって弁ハウジングをラミネートに固定する構成としたことから、弁ハウジングを軟質材よりなるラミネートに対して容易にかつ強固に取り付けることができる。また、フランジ状の取付部とラミネートの開口周縁部との間に配置するガスケットによって弁ハウジングおよびラミネート間をシールする構成としたことから、両者の間から内封液が漏洩したり、外部異物が浸入したりするのを有効に防止することができる。
【００１６】
また、上記構成を備えた本発明の請求項２による圧力開放弁においては、弁ハウジングが熱可塑性樹脂等よりなる場合に、圧力容器のラミネートに開口部を設け、この開口部に弁ハウジングを挿入する。弁ハウジングは、その外周にフランジ状の取付部を有し、このフランジ状の取付部をラミネートの開口周縁部の内側に配置する。そして、このフランジ状の取付部をラミネートの開口周縁部に溶着することによって弁ハウジングをラミネートに固定する構成としたことから、弁ハウジングを軟質材よりなるラミネートに対して容易にかつ強固に取り付けることができる。また、フランジ状の取付部をラミネートの開口周縁部に溶着することによって弁ハウジングおよびラミネート間をシールする構成としたことから、ガスケットを介装しなくても両者の間から内封液が漏洩したり、外部異物が浸入したりするのを有効に防止することができる。
【発明を実施するための最良の形態】
【００１７】
つぎに本発明の実施例を図面にしたがって説明する。
【００１８】
第一実施例・・・
図１は、本発明の第一実施例に係る圧力開放弁を取り付けるコンデンサ、キャパシタまたは電池等の圧力容器１の外観を示しており、この圧力容器１は、アルミニウム等の金属箔とプラスチックフィルムとを重ね合せることによって形成したラミネートフィルム（ラミネート）３を外装ケース２として使用するラミネートタイプに属するものである。符号４および５は、ラミネート３から外部へ突出するように配置された電極端子を示している。
【００１９】
この圧力容器１において、当該実施例に係る圧力開放弁は、図のＣ部に取り付けられ、ラミネート３がフレキシブルな軟質材であることから、以下のような特殊な取付構造が採用されている。また、当該実施例に係る圧力開放弁は、通常の使用状態では圧力容器１の内圧が設定開弁圧未満であるので閉弁しており、内圧が設定開弁圧に達すると開弁して内圧を大気開放する。当該圧力開放弁１１は以下のように構成されている。
【００２０】
すなわち、図２に示すように先ず、上記ラミネート３に平面円形の開口部６が設けられており、この開口部６に弁ハウジング１２が挿入されている。
【００２１】
この弁ハウジング１２は、所定の高分子材料、例えば熱硬化性樹脂によって円盤状に成形されており、上記ラミネート３の開口部６に圧力容器１の内側（図では下側）から差し込まれる筒状部１３と、この筒状部１３の中心軸線上に設けられた軸部１４と、筒状部１３および軸部１４を連結した円周上複数（例えば３等配）の連結部１５と、筒状部１３の下端部外周面に設けられたフランジ状の取付部（平坦部とも称する）１６とを一体に有している。連結部１５同士の間の空間は、弁ハウジング１２の内外すなわち圧力容器１の内外を連通する連通部１７とされ、連通部１７および連結部１５の外側（図では上側）であって筒状部１３と軸部１４の間の環状空間は、弁本体２０を取り付けるための弁取付空間１８とされている。
【００２２】
この弁取付空間１８は、弁ハウジング１２の上面に開口するように形成されていて、円筒面状の内周面１８ａと平面状の底面１８ｂとを有しており、底面１８ｂの中央に、円筒面状の外周面１４ａを備えた上記軸部１４が上方に向けて設けられている。図示はしないが、弁取付空間１８の内周面１８ａには、弁本体２０を抜け止めするための段差状の係合部を設けても良い。底面１２ｂには上記したように、圧力容器１の内外を連通する連通部１７が複数円周上に並んで設けられている。軸部１４は、その中心軸線を弁ハウジング１２の厚み方向に向けて配置されて弁ハウジング１２に対して一体成形されており（但し、別体であっても良い）、その外周面１４ａが、当該圧力開放弁１１の弁体をなすリップ部２２ｃに対する弁座面として作用する。
【００２３】
上記弁取付空間１８にその上方すなわち圧力容器１の外側から弁本体２０が圧入されており、この弁本体２０は、補強環２１にゴム状弾性材製の弾性体２２を加硫接着したものである。補強環２１は、弁取付空間１８の内周面１８ａに嵌合される筒状部２１ａの一端に径方向内方へ向けてフランジ部２１ｂを一体形成したものであって、断面形状が近似Ｌ字形をなすように形成されている。また、弾性体２２には、補強環２１の筒状部２１ａの外周面に被着されて弁本体２０および弁ハウジング１２（弁取付空間１８の内周面１８ａ）間をシールする外周シール部２２ａと、補強環２１のフランジ部２１ｂの下面に被着されて同じく弁本体２０および弁ハウジング１２（弁取付空間１８の底面１８ｂ）間をシールする端面シール部２２ｂとが一体に設けられ、更に補強環２１の内周側に位置して、軸部１４の外周面１４ａに接離自在に密接する外向き（図上上向き）のリップ部２２ｃが一体に設けられている。
【００２４】
このリップ部２２ｃは、当該圧力開放弁１１における弁体として作用し、すなわちこのリップ部２２ｃはガータスプリング２３を嵌着される等して軸部１４に対して所定の大きさの締めしろをもって接触（着座）しており、容器１内部の圧力が所定値未満であるときには閉弁しており、容器１内部の圧力が所定値に達すると、リップ部２２ｃが軸部１４から離れて開弁する。したがって、所定値を上回る分の圧力を容器１外部へ放出することが可能とされている。また、内圧が開放された後は、リップ部２２ｃの弾性とガータスプリング２３の緊迫力による復元力によって直ちに閉弁する。リップ部２２ｃないし当該圧力開放弁１１はその作動からして一方向弁をなしている。
【００２５】
上記弁ハウジング１２は、ラミネート３の開口周縁部７の内側に配置されるフランジ状の取付部１６と、ラミネート３の開口周縁部７の外側に配置される固定用バネ板部材２４との間にラミネート３の開口周縁部７を挟み込むことによってラミネート３に固定されている。
【００２６】
図３に示すように、固定用バネ板部材２４は、平板環状の挟圧部２４ａの内周縁に板バネ部（片持ちバネ部）２４ｂを多数全周に亙って一体成形したものであって、板バネ部２４ｂをもって弁ハウジング１２の筒状部１３の外周面に強固に固定され、挟圧部２４ａがフランジ状の取付部１６との間でラミネート３の開口周縁部７を強固に挟圧する。バネ板部材２４の材質は、金属、樹脂の何れでも良いが、好ましくは、耐食性のある金属（例えばステンレス、銅系合金のバネ材のメッキ処理品等）が良い。
【００２７】
また、弁ハウジング１２の取付部１６とラミネート３の開口周縁部７との間には、平板環状を呈するゴム状弾性材製のガスケット２５が介装されており、このガスケット２５の介在によって、弁ハウジング１２およびラミネート３間がシールされている。ガスケット２５の材質については、ゴム材料では、ブチルゴム、ハロゲン化ブチルゴム、ビニル変性ブチルゴム、エチレンプロピレン系ゴム、フッ素ゴム、アクリル系ゴムまたは水素添加二トリルゴム等の飽和系ゴムが挙げられ、架橋剤、充填剤、可塑剤または老化防止剤等を適宜配合する。
【００２８】
上記構成の圧力開放弁１１においては、圧力容器１の外装ケース２であるラミネート３に開口部６が設けられ、開口部６に円盤状の弁ハウジング１２が挿入され、弁ハウジング１２の一端部外周面に設けたフランジ状の取付部１６と固定用バネ板部材２４との間にラミネート３の開口周縁部７を挟み込むことによって弁ハウジング１２がラミネート３に固定されるよう構成されていることから、ラミネート３の開口部６に弁ハウジング１２を差し込んで反対側から固定用バネ板部材２４を圧入する手順のみにて弁ハウジング１２をラミネート３に取り付けることができ、その取付は固定用バネ板部材２４のバネ性によって極めて強固なものとされる。したがって初期の目的どおり、圧力容器１における外装ケース２を構成するラミネート３に対して圧力開放弁１１を容易に取り付けることができ、しかもラミネート３に対して圧力開放弁１１を強固に取り付けることができる圧力開放弁１１の取付構造を提供することができる。
【００２９】
また、フランジ状の取付部１６とラミネート３の開口周縁部７との間にガスケット２５が介装されて弁ハウジング１２およびラミネート３間をシールするよう構成されていることから、両者２，１２の間から内封液が漏洩したり、外部異物が浸入したりするのを有効に防止することができる。
【００３０】
尚、このガスケット２５によるシール性については、図４に示すように、フランジ状の取付部１６の上面にシールビード１６ａを設けることにより、このビード１６ａがガスケット２５に食い込むため、シール性を一層向上させることができる。フランジ状の取付部１６の上面には、ガスケット２５を挿入する溝を形成しても良い。
【００３１】
また、図５（Ａ）に示すように、ガスケット２５は平板環状に成形されるが、図５（Ｂ）に示すように、その両面または片面（図では両面）にシールビード２５ａを設けることによりシール性を向上させるようにしても良い。
【００３２】
また、ガスケット２５は、弁ハウジング１２に対して別体とされるが、その加硫時に直接、弁ハウジング１２の表面に成形することにしても良い。熱硬化性樹脂、例えばフェノール樹脂の場合はゴム加硫温度（約２００℃）に影響されることがないので、ゴムの焼付（接着）も可能である。
【００３３】
第二実施例・・・
また、上記第一実施例では、固定用バネ板部材２４は、平板環状の挟圧部２４ａの内周縁に板バネ部２４ｂを多数全周に亙って一体成形した形状とされ、テーパー面状に形成された板バネ部２４ｂが弁ハウジング１２の筒状部１３の外周面に弾性的に嵌合することによってこの固定用バネ板部材２４が弁ハウジング１２に対して固定される構成とされているが、この固定用バネ板部材２４の弁ハウジング１２に対する固定構造は、図６に示すように、固定用バネ板部材２４に断面Ｖ字形を呈する板バネ部２４ｃを設けて、この断面Ｖ字状の板バネ部２４ｃをフランジ状の取付部１６の上面に設けた溝状凹部１６ｂに楔のように圧入するものとしても良い。
【００３４】
この場合、固定用バネ板部材２４は、図７に示すように、平板環状の挟圧部２４ａの外周縁に板バネ部２４ｃを多数全周に亙って一体成形した形状とされ、板バネ部２４ｃは、Ｖ字をなす内周側の面２４ｄと外周側の面２４ｅとを一体に有している。また図示するように、外周側の面２４ｅの端部を折り曲げて平面部２４ｆとすると、この平面部２４ｆによってもラミネート３およびガスケット２５を押さえ付けることができる。一方、ラミネート３およびガスケット２５は平面状のものがＶ字状の板バネ部２４ｃによって押圧されることにより凹部１６ｂ内に押し込められることになる。
【００３５】
第三実施例・・・
また、弁ハウジング１２の材質が熱可塑性樹脂よりなる場合には、フランジ状の取付部１６をラミネート３の開口周縁部７に溶着することによって弁ハウジング１２をラミネート３に固定するようにしても良い。
【００３６】
この場合、溶着は、図８に示すように、予め取付部１６の上面に溶着用突起１６ｃを設けておき、溶着ヘッド３１を用いて、熱圧着、振動溶着または超音波溶着等の手段によって突起１６ｃを溶融して接合する。突起１６ｃの周りには、溶融した樹脂を溜める溝状の材料溜り１６ｄを設けておくと良い。図９に示すように、溶着後、弁ハウジング１２はラミネート３に対して強固に接合される。
【００３７】
この構成によれば、圧力容器１の外装ケース２であるラミネート３に開口部６が設けられ、開口部６に円盤状の弁ハウジング１２が挿入され、弁ハウジング１２の一端部外周面に設けたフランジ状の取付部１６をラミネート３の開口周縁部７に溶着することによって弁ハウジング１２がラミネート３に固定されるように構成されていることから、弁ハウジング１２をラミネート３に溶着する手順のみにて弁ハウジング１２をラミネート３に取り付けることができ、その取付は溶着によって極めて強固なものとされる。したがって初期の目的どおり、圧力容器１における外装ケース２を構成するラミネート３に対して圧力開放弁１１を容易に取り付けることができ、しかもラミネート３に対して圧力開放弁１１を強固に取り付けることができる圧力開放弁１１の取付構造を提供することができる。
【００３８】
また、フランジ状の取付部１６がラミネート３の開口周縁部７に溶着されて弁ハウジング１２およびラミネート３間をシールするように構成されていることから、ガスケットを用いなくても両者２，１２の間から内封液が漏洩したり、外部異物が浸入したりするのを有効に防止することができる。
【００３９】
尚、上記第二および第三実施例の他の構成はそれぞれ、上記第一実施例と同じである。したがって、同一の符号を付して説明を省略する。
【図面の簡単な説明】
【００４０】
【図１】本発明の実施例に係る圧力開放弁を取り付ける圧力容器の外観斜視図
【図２】本発明の第一実施例に係る圧力開放弁の断面図
【図３】同圧力開放弁における固定用バネ板部材の単品斜視図
【図４】同圧力開放弁における弁ハウジングの他の例を示す単品断面図
【図５】（Ａ）は同圧力開放弁におけるガスケットの単品断面図、（Ｂ）は同圧力開放弁におけるガスケットの他の例を示す単品断面図
【図６】本発明の第二実施例に係る圧力開放弁の断面図
【図７】同圧力開放弁における固定用バネ板部材の単品斜視図
【図８】本発明の第三実施例に係る圧力開放弁の取付工程を示す断面図
【図９】同圧力開放弁の取付工程完了後の状態を示す断面図
【図１０】従来例にかかる圧力開放弁の断面図
【図１１】同圧力開放弁の底面図であって図１０におけるＤ方向矢視図
【符号の説明】
【００４１】
１  圧力容器
２  外装ケース
３  ラミネート
４，５  電極端子
６  開口部
７  開口周縁部
１１  圧力開放弁
１２  弁ハウジング
１３，２１ａ  筒状部
１４  軸部
１４ａ  外周面
１５  連結部
１６  取付部
１６ａ，２５ａ  シールビード
１６ｂ  溝状凹部
１７  連通部
１８  弁取付空間
１８ａ  内周面
１８ｂ  底面
２０  弁本体
２１  補強環
２１ｂ  フランジ部
２２  ゴム状弾性体
２２ａ  外周シール部
２２ｂ  内周シール部
２２ｃ  リップ部
２３  ガータスプリング
２４  固定用バネ板部材
２４ａ  挟圧部
２４ｂ，２４ｃ  板バネ部
２４ｄ  内周側面
２４ｅ  外周側面
２４ｆ  平面部
２５  ガスケット
３１  溶着ヘッド
【図１】
2006294669.tif 000003
【図２】
2006294669.tif 000004
【図３】
2006294669.tif 000005
【図４】
2006294669.tif 000006
【図５】
2006294669.tif 000007
【図６】
2006294669.tif 000008
【図７】
2006294669.tif 000009
【図８】
2006294669.tif 000010
【図９】
2006294669.tif 000011
【図１０】
2006294669.tif 000012
【図１１】
2006294669.tif 000013
【手続補正書】
【提出日】平成17年4月18日(2005.4.18)
【手続補正１】
【補正対象書類名】図面
【補正対象項目名】全図
【補正方法】変更
【補正の内容】
【図１】
2006294669.tif 000014
【図２】
2006294669.tif 000015
【図３】
2006294669.tif 000016
【図４】
2006294669.tif 000017
【図５】
2006294669.tif 000018
【図６】
2006294669.tif 000019
【図７】
2006294669.tif 000020
【図８】
2006294669.tif 000021
【図９】
2006294669.tif 000022
【図１０】
2006294669.tif 000023
【図１１】
2006294669.tif 000024